(57)【要約】【課題】簡単な構成で、排出された用紙を整列させ、良好な状態で保持するとともに、装置全体の大型化を防止し、省スペース化を図ることができる画像形成装置を提供することを目的とする。【解決手段】転写紙の排出が終了後、従動コロ２８〜３１が上方に移動し、転写紙積載面２３ｃから突出した状態になり、転写紙積載面２３ｃ上に積載された転写紙Ｐが従動コロ２８〜３１により上方に押し上げられる。次いで、転写紙Ｐと従動コロ２８〜３１間の摩擦抵抗により、従動コロ２８〜３１が図中の矢印Ｄの方向に従動回転し、転写紙Ｐが排出方向と逆の方向である矢印Ｃの方向に移動する。そして、転写紙Ｐの上流側端部Ｐｂが、整列基準面２４と当接し、当該整列基準面２４により、転写紙Ｐの上流側端部Ｐｂが整列するとともに、下流側端部Ｐａも整列する。【選択図】  図５
2006001730.tif 000002
【特許請求の範囲】
【請求項１】
排出口から排出される転写紙の排出方向における下流側端部が前記排出方向における上流側端部より上方に配置され、前記排出方向において斜め上方に向かって延設された排紙トレイにおいて、
前記転写紙が積載される転写紙積載面に対して上下方向に移動可能であるとともに、前記転写紙積載面上に積載された前記転写紙を前記排出方向と逆方向に移動させる回転部材を備えることを特徴とする排紙トレイ。
【請求項２】
前記回転部材は、前記転写紙の排出が終了する前は、前記転写紙積載面の下方に位置し、前記転写紙の排出が終了すると、上方に移動して前記転写紙積載面から突出して前記転写紙と当接し、前記回転部材が前記転写紙の自重により回転することにより、前記転写紙が、前記排出方向と逆方向に移動するとともに、前記排出口の下方に設けられた転写紙整列基準面に当接することを特徴とする請求項１に記載の排紙トレイ。
【請求項３】
前記回転部材が、複数個設けられていることを特徴とする請求項１または請求項２に記載の排紙トレイ。
【請求項４】
前記回転部材は、従動式コロであることを特徴とする請求項１乃至請求項３のいずれかに記載の排紙トレイ。
【請求項５】
前記回転部材は、搬送ベルトであることを特徴とする請求項１乃至請求項３のいずれかに記載の排紙トレイ。
【請求項６】
装置本体と、前記装置本体に設けられた排出ローラにより排出される転写紙の排出方向における下流側端部が前記排出方向における上流側端部より上方に配置され、前記排出方向において斜め上方に向かって延設された排紙トレイと、前記排紙トレイに設けられ、前記転写紙が積載される前記排紙トレイの転写紙積載面に対して上下方向に移動可能であるとともに、前記転写紙積載面上に積載された前記転写紙を前記排出方向と逆方向に移動させる回転部材と、前記回転部材を前記上下方向へ移動させる制御手段と、を備えることを特徴とする画像形成装置。
【発明の詳細な説明】
【技術分野】
【０００１】
本発明は、排出された用紙を積載するための排紙トレイおよびこれを備えた画像形成装置に関する。
【背景技術】
【０００２】
一般に、複写機、プリンタ、ファクシミリ等の画像形成装置においては、トナー像が転写された用紙（以下、「転写紙」ということがある）を積載するための用紙排出部が設けられている。
【０００３】
より具体的には、装置本体の側面に排紙トレイが取り付けられた画像形成装置や、装置本体の上方に配置された画像読取部の下方に胴内排紙トレイを備える胴内排紙型の画像形成装置が知られている。
【０００４】
ここで、上述の排紙トレイにおいては、転写紙の落下を防止するためのストッパーを設けたものが提案されている。より具体的には、装置本体に、固定トレイと、当該固定トレイに対してスライド可能に連結された可動トレイを備える排紙トレイを設けるとともに、当該可動トレイの先端部に弓形形状に形成されたストッパーを設けたものが開示されている。そして、排出される用紙のサイズに対応させて、可動トレイを移動させ、ストッパーを正常な使用位置に設定することにより、排出用紙の落下を防止するとともに、当該排出用紙を整列状態で良好に保持する構成となっている（例えば、特許文献１参照）。
【特許文献１】特開平１０−３３００１５号公報（第３−５頁、第１図）
【発明の開示】
【発明が解決しようとする課題】
【０００５】
しかし、上記従来の排紙トレイにおいては、排出された用紙を良好に整列させることはできるものの、上述のごとく、排出される用紙サイズに対応させて、可動トレイを移動させて、ストッパーの位置を手動により設定する必要があるため、ユーザーにとって、当該設定操作が煩雑であるという問題があった。又、可動トレイ、及びストッパーが、装置本体の外方に突出する構成となっているため、装置全体が大型化してしまうという問題があった。
【０００６】
そこで、本発明は、上述の問題に鑑みてなされたものであり、簡単な構成で、排出された用紙を整列させ、良好な状態で保持するとともに、装置全体の大型化を防止し、省スペース化を図ることができる画像形成装置を提供することを目的とする。
【課題を解決するための手段】
【０００７】
上記目的を達成するために、本発明の排紙トレイは、排出口から排出される転写紙の排出方向における下流側端部が前記排出方向における上流側端部より上方に配置され、排出方向において斜め上方に向かって延設された排紙トレイにおいて、転写紙が積載される転写紙積載面に対して上下方向に移動可能であるとともに、転写紙積載面上に積載された転写紙を排出方向と逆方向に移動させる回転部材を備えることを特徴とする。
【０００８】
ここで、本発明の排紙トレイにおいては、回転部材は、転写紙の排出が終了する前は、転写紙積載面の下方に位置し、転写紙の排出が終了すると、上方に移動して転写紙積載面から突出して転写紙と当接し、回転部材が転写紙の自重により回転することにより、転写紙が、排出方向と逆方向に移動するとともに、排出口の下方に設けられた転写紙整列基準面に当接するものとすることができる。
【０００９】
又、本発明の排紙トレイにおいては、回転部材を複数個設けるものとすることができる。
更に、本発明の排紙トレイにおいては、回転部材を、従動式コロとすることができ、搬送ベルトとすることもできる。
【００１０】
又、本発明の画像形成装置は、装置本体と、装置本体に設けられた排出ローラにより排出される転写紙の排出方向における下流側端部が排出方向における上流側端部より上方に配置され、排出方向において斜め上方に向かって延設された排紙トレイと、排紙トレイに設けられ、転写紙が積載される排紙トレイの転写紙積載面に対して上下方向に移動可能であるとともに、転写紙積載面上に積載された転写紙を排出方向と逆方向に移動させる回転部材と、回転部材を上下方向へ移動させる制御手段とを備えることを特徴とする。
【発明の効果】
【００１１】
本発明の排紙トレイによれば、転写紙が積載される転写紙積載面に対して上下方向に移動可能であるとともに、転写紙積載面上に積載された転写紙を排出方向と逆方向に移動させる回転部材を備える構成としている。従って、可動トレイ、及びストッパーを設ける必要がなくなるため、簡単な構成で、転写紙を整列させ、良好な状態で保持することが可能になる。又、装置全体の大型化を防止し、省スペース化を図ることが可能になる。
【００１２】
又、回転部材は、転写紙の排出が終了する前は、転写紙積載面の下方に位置し、転写紙の排出が終了すると、上方に移動して転写紙積載面から突出して転写紙と当接し、回転部材が転写紙の自重により回転することにより、転写紙が、排出方向と逆方向に移動するとともに、排出口の下方に設けられた転写紙整列基準面に当接する構成としている。従って、従来技術のごとく、排出される用紙サイズに対応させて、可動トレイを移動させ、ストッパーの位置を手動により設定するという煩雑な操作を行わなくても、転写紙を整列させ、良好な状態で保持することが可能になる。
【００１３】
又、回転部材を複数個設ける構成としているため、転写紙を容易に移動させることが可能になり、結果として、転写紙を確実に整列させることが可能になる。
更に、本発明の画像形成装置によれば、排紙トレイに設けられ、転写紙が積載される排紙トレイの転写紙積載面に対して上下方向に移動可能であるとともに、転写紙積載面上に積載された転写紙を前記排出方向と逆方向に移動させる回転部材と、回転部材を上下方向へ移動させる制御手段とを備える構成としている。従って、可動トレイ、及びストッパーを設ける必要がなくなるため、簡単な構成で、転写紙を整列させ、良好な状態で保持することが可能になる。又、装置全体の大型化を防止し、省スペース化を図ることが可能になる。
【発明を実施するための最良の形態】
【００１４】
以下に、本発明の具体的な実施形態について図面を参照しながら説明する。図１は、本発明の第１の実施形態に係る画像形成装置の全体構成を示す概略図である。
図１に示す様に、この画像形成装置１は、いわゆる胴内排紙型の画像形成装置であり、装置本体１ａの下部に配設された給紙部２と、この給紙部２の側方及び上方に配設された用紙搬送部３と、この用紙搬送部３の右方に配設された画像形成部４と、装置本体１ａの上方に配設された画像読取部５を備えている。
【００１５】
給紙部２は、用紙が収容された給紙カセット６を備えており、給紙ローラ７の回転動作により、当該給紙カセット６から用紙が用紙搬送部３側に送り出され、用紙が１枚ずつ確実に用紙搬送部３に給紙されるように構成されている。尚、この給紙カセット６は、装置本体１ａに対し、着脱自在となるように構成されている。
【００１６】
又、給紙部２には、手差し給紙ユニット８が設けられており、当該手差し給紙ユニット８は、手差し給紙トレイ９と、給紙ローラ１０を備えている。そして、手差し給紙トレイ９に載置された用紙は、給紙ローラ１０の回転動作により、当該手差し給紙トレイ９から用紙供給搬送路１１に送り出され、用紙が１枚ずつ用紙搬送部３に給紙されるように構成されている。
【００１７】
用紙供給搬送路１１に給紙された用紙は、用紙搬送部３を経由して画像形成部４に向けて搬送される。この画像形成部４は、電子写真プロセスによって、用紙に所定のトナー像を形成するものであり、所定の方向（図中の矢印方向）に回転可能に軸支された像端持体である感光体１２と、この感光体１２の周囲にその回転方向に沿って、帯電ユニット１３、現像ユニット１４、転写ユニット１５、クリーニングユニット１６および除電ユニット１７を備えている。
【００１８】
帯電ユニット１３は、高電圧が印加される帯電ワイヤを備えており、この帯電ワイヤからのコロナ放電によって感光体１２の表面に所定電位を与えることにより、感光体１２の表面が一様に帯電させられる。そして、画像読取部５により読み取られた原稿の画像データに基づくレーザ走査ユニット（ＬＳＵ）１８からのレーザビームにより感光体１２上に静電潜像が形成される。次いで、現像ユニット１４により、上記静電潜像にトナーが付着し、感光体１２の表面にトナー像が形成され、転写ユニット１５により、感光体１２の表面のトナー像が、感光体１２と転写ユニット１５との間に供給された用紙に転写される。
【００１９】
トナー像が転写された用紙は、画像形成部４から定着ローラ対１９に向けて搬送される。この定着ローラ対１９は、画像形成部４の用紙搬送方向の下流側に配置されており、転写紙は定着ローラ対１９を構成する加熱ローラ、及び当該加熱ローラに押し付けられる加圧ローラによって挟まれるとともに加熱され、転写紙上にトナー像が定着される。
【００２０】
次いで、画像形成部４から定着ローラ対１９において画像形成がなされた転写紙は、排出手段である排出ローラ対２０によって、排出口２５を介して装置本体１ａの胴内に設けられた用紙排出部２１に排出され、当該用紙排出部２１に積載される。一方、上記転写後、感光体１２の表面に残留しているトナーは、クリーニングユニット１６により除去され、感光体１２の表面の残留電荷は、除電ユニット１７により除去される。そして、感光体１２は帯電ユニット１３によって再び帯電され、以下同様にして画像形成が行われることになる。
【００２１】
次に、用紙排出部について図面を参照しながら説明する。図２は、本発明の第１の実施形態に係る画像形成装置における用紙排出部の外観構成を示す部分斜視図である。
図２に示す様に、本実施形態の用紙排出部２１は、画像形成がなされた転写紙が排出される胴内空間部２２と、当該胴内空間部２２に排出された転写紙が積載される転写紙積載面２３ｃを備える胴内排紙トレイ２３と、排出口２５の下方に設けられた転写紙整列基準面（以下、「整列基準面」という）２４を有している。
【００２２】
ここで、一般に、排出された転写紙が、用紙排出部２１から飛び出してしまうのを防止するとともに、胴内排紙トレイ２３に積載された転写紙の整列性を向上させるために、胴内排紙トレイ２３の上流側端部２３ａを排出口２５の下方に配置するとともに、胴内排紙トレイ２３の下流側端部２３ｂを上流側端部２３ａより上方に配置することにより、当該胴内排紙トレイ２３に傾斜をもたせる構成が採用されている。
【００２３】
そして、本実施形態においては、図２に示す様に、排出口２５から排出される転写紙の排出方向（後述の図４に示す矢印Ａの方向）における下流側端部２３ｂが当該排出方向における上流側端部２３ａより上方に配置され、胴内排紙トレイ２３が排出方向において斜め上方に向かって延設される構成となっている。
【００２４】
しかし、胴内排紙トレイ２３にこの様な傾斜をもたせただけでは、転写紙の飛び出し防止には有効であるものの、例えば、積載された転写紙と転写紙積載面２３ｃのとの摩擦抵抗、あるいは、転写紙間の摩擦抵抗により、積載された転写紙にバラツキが生じてしまい、当該転写紙の整列性が不十分な場合（即ち、転写紙端部の整合性が不十分な場合）がある。
【００２５】
そこで、本実施形態においては、用紙排出部２１に、転写紙積載面２３ｃ上に積載された転写紙を整列させるための転写紙整列手段を設けた点に特徴がある。以下に、図面を参照しながら説明する。
【００２６】
図３は、本発明の第１の実施形態に係る画像形成装置における用紙排出部の転写紙整列手段を説明するための部分斜視図である。
図２、図３に示す様に、胴内排紙トレイ２３の転写紙積載面２３ｃには、略Ｈ型形状を有する孔部２６、２７が形成されている。そして当該孔部２６の両端部に回転部材である従動コロ２８、２９が設けられるとともに、孔部２７の両端部に回転部材である従動コロ３０、３１（従動コロ３１は、図２、図３においては不図示）が設けられている。
【００２７】
従動コロ２８、２９は、軸３２によって、回転可能に軸支されており、又、同様に、従動コロ３０、３１は、軸３３によって、回転可能に軸支されている。尚、図２、図３に示す様に、従動コロ２８、２９は、従動コロ３０、３１よりも転写紙排出方向下流側に設けられており、これらの従動コロ２８〜３１は、胴内排紙トレイ２３の傾斜に沿って設けられているため、従動コロ２８、２９は、従動コロ３０、３１よりも上方に位置している。
【００２８】
又、従動コロ２８〜３１の下方には、これらの従動コロ２８〜３１を上下方向移動させるための駆動手段（即ち、後述の、従動コロ駆動部３９）が設けられており、当該駆動手段により、従動コロ２８〜３１が転写紙積載面２３ｃに対して上下方向に移動可能となるように構成となっている。
【００２９】
即ち、図２においては、従動コロ２８〜３１は、転写紙積載面２３ｃの下方に位置しているが、上記駆動手段により、上方に移動すると、図３に示す様に、従動コロ２８〜３１は、転写紙積載面２３ｃから突出する構成となっている。
【００３０】
尚、上述のごとく、従動コロ２８〜３１は、軸３２、３３に軸支されているため、従動コロ２８〜３１が上下方向に移動すると、軸３２、３３も上下方向に移動する構成となっている。
【００３１】
次に、転写紙の整列機構について説明する。図４〜図６は、本発明の第１の実施形態に係る画像形成装置における転写紙の整列機構を説明するための側面図である。
図４に示す様に、画像形成がなされた転写紙Ｐは、排出手段である排出ローラ対２０によって排出方向（即ち、図中の矢印Ａの方向）に搬送される。そうすると、転写紙Ｐは、排出口２５を介して装置本体１ａの胴内に設けられた用紙排出部２１の胴内空間部２２へと排出され、当該胴内空間部２２に排出された転写紙は転写紙積載面２３ｃ上に積載されていく。この際、従動コロ２８〜３１は、転写紙Ｐの排出が終了するまで、転写紙積載面２３ｃの下方に位置しており、当該転写紙積載面２３ｃからは突出していない状態にある。
【００３２】
次に、転写紙Ｐの排出が開始されてから、所定時間が経過し、転写紙Ｐの排出が終了すると、図５に示す様に、図４に示した状態から、従動コロ２８〜３１が上方（即ち、図中の矢印Ｂの方向）に移動し、転写紙積載面２３ｃから突出した状態になる。そして、転写紙積載面２３ｃ上に積載された転写紙Ｐが、従動コロ２８〜３１と当接するとともに、当該従動コロ２８〜３１により上方に押し上げられる。
【００３３】
この際、図５に示す様に、転写紙Ｐは、転写紙積載面２３ｃから浮き上がり、従動コロ２８〜３１にのみ当接した状態となるため、転写紙Ｐと転写紙積載面２３ｃ間の摩擦抵抗がなくなる。更に、上述のごとく、従動コロ２８〜３１は、胴内排紙トレイ２３の傾斜に沿って設けられており、従動コロ２８、２９は、従動コロ３０、３１よりも排出方向下流側、かつ上方に位置しているため、転写紙Ｐは、その下流側端部Ｐａが上流側端部Ｐｂよりも上方に位置することになる。従って、転写紙Ｐが自重により、胴内排紙トレイ２３の傾斜に沿って図中の矢印Ｃの方向（即ち、下流側端部Ｐａから上流側端部Ｐｂの方向であって、排出方向Ａとは逆の方向）へ移動しようとする。そうすると、当該転写紙Ｐの自重により、転写紙Ｐと従動コロ２８〜３１間の摩擦抵抗が発生し、従動コロ２８〜３１が図中の矢印Ｄの方向（即ち、転写紙積載面２３ｃ上に積載された転写紙Ｐを排出方向Ａと逆方向Ｃに移動させる方向）に従動回転し、転写紙Ｐが上述の矢印Ｃの方向に移動する。そして、移動した転写紙Ｐは、転写紙Ｐの上流側端部Ｐｂが、整列基準面２４と当接し、当該整列基準面２４により、転写紙Ｐの上流側端部Ｐｂが整列するとともに、下流側端部Ｐａも整列することになる。その結果、図６に示す様に、転写紙Ｐを整列状態で良好に保持することが可能になる。
【００３４】
図７は、本発明の第１の実施形態に係る画像形成装置における従動コロの制御系を示すブロック図である。図７に示す様に、画像形成装置１は、制御手段としてのＣＰＵ３５と、ＲＯＭ３７およびＲＡＭ３８を含むメモリ３６と、従動コロ２８〜３１の駆動を行う従動コロ駆動部３９を備えている。又、メモリ３６と従動コロ駆動部３９は、ＣＰＵ３５に接続されており、ＣＰＵ３５は、ＲＯＭ３７に記憶されているプログラムに従い、各部の制御を行う。
【００３５】
図８は、本発明の第１の実施形態に係る画像形成装置における転写紙の整列動作を示すフローチャートである。まず、画像形成動作が開始されると（ステップＳ１）、画像形成部４に向けて搬送された用紙にトナー像が転写され、定着された後、排出ローラ対２０による転写紙Ｐの用紙排出部２１への排出が開始される（ステップＳ２）。次に、画像形成動作が終了後（ステップＳ３）、ＣＰＵ３５は、転写紙Ｐの用紙排出部２１への排出が終了したか否かを判断する（ステップＳ４）。より具体的には、例えば、転写紙Ｐを排出する排出ローラ対２０の駆動が停止していない場合は、転写紙Ｐの排出が終了していないものと判断し、ＣＰＵ３５は、当該ステップ４の判断を繰り返す。一方、排出ローラ対２０の駆動が既に終了しているときは、ＣＰＵ３５は、転写紙Ｐの用紙排出部２１への排出が終了したものと判断し、従動コロ２８〜３１を上方へ移動させるための駆動信号を発生する（ステップＳ５）。次に、当該駆動信号が従動コロ駆動部３９に入力され、当該従動コロ駆動部３９は、駆動信号に基づいて、従動コロ２８〜３１を上方に移動させ、転写紙Ｐが従動コロ２８〜３１により上方に押し上げられる（ステップＳ６）。次いで、従動コロ２８〜３１が上述の矢印Ｄの方向に従動回転するとともに、転写紙Ｐが上述の矢印Ｃの方向に移動し、転写紙Ｐが整列基準面２４と当接し、当該転写紙Ｐの整列が行われる（ステップＳ７）。次いで、所定時間経過後、ＣＰＵ３５は、従動コロ２８〜３１を下方（即ち、図５の矢印Ｅ方向）へ移動させるための駆動信号を発生し（ステップＳ８）、当該駆動信号が従動コロ駆動部３９に入力され、当該従動コロ駆動部３９は、駆動信号に基づいて、従動コロ２８〜３１を下方に移動させ（ステップＳ９）、転写紙Ｐの整列動作が終了する。
【００３６】
以上に説明した様に、本実施形態においては、転写紙Ｐの排出方向Ａにおける下流側端部２３ｂが上流側端部２３ａより上方に配置され、上記排出方向Ａにおいて斜め上方に向かって延設された胴内排紙トレイ２３に、転写紙Ｐが積載される転写紙積載面２３ｃに対して上下方向に移動可能であるとともに、転写紙積載面２３ｃ上に積載された転写紙Ｐを排出方向Ａと逆方向Ｃに移動させる従動コロ２８〜３１を備える構成としている。従って、可動トレイ、及びストッパーを設ける必要がなくなるため、簡単な構成で、転写紙Ｐを整列させ、良好な状態で保持することが可能になる。又、装置全体の大型化を防止し、省スペース化を図ることが可能になる。
【００３７】
又、従動コロ２８〜３１は、転写紙Ｐの排出が終了する前は、転写紙積載面２３ｃの下方に位置し、転写紙Ｐの排出が終了すると、上方に移動して転写紙積載面２３ｃから突出して転写紙Ｐと当接し、従動コロ２８〜３１が転写紙Ｐの自重により上述の矢印Ｄ方向に回転することにより、転写紙Ｐが、排出方向Ａと逆方向Ｃに移動するとともに、排出口２５の下方に設けられた整列基準面２４に当接する構成としている。従って、従来技術のごとく、排出される用紙サイズに対応させて、可動トレイを移動させ、ストッパーの位置を手動により設定するという煩雑な操作を行わなくても、転写紙Ｐを整列させ、良好な状態で保持することが可能になる。
【００３８】
又、複数の従動コロ２８〜３１を設ける構成としているため、転写紙Ｐを容易に移動させることが可能になるため、当該転写紙Ｐを確実に整列させることが可能になる。
次に、本発明の第２の実施形態について説明する。尚、本実施形態においては、上記第１の実施形態と同様の構成部分については同一の符号を付してその説明を省略する。又、画像形成装置の全体構成についても、上述の第１の実施形態と同様であるため、ここでは詳しい説明を省略する。
【００３９】
本実施形態においては、上述の第１の実施形態における従動コロ２８〜３１の代わりに、搬送ベルト（不図示）を設けた点に特徴がある。即ち、胴内排紙トレイ２３の転写紙積載面２３ｃに形成された孔部２６、２７に設けられた軸３２、３３に、回転可能に軸支された搬送ベルトが設けられている。この搬送ベルトは、上述の従動コロ２８〜３１と同様に、転写紙積載面２３ｃに対して上下方向（即ち、矢印Ｂ、Ｅ方向）に移動可能であるとともに、転写紙積載面２３ｃ上に積載された転写紙Ｐを排出方向Ａと逆方向Ｃに移動させる方向（即ち、矢印Ｄ方向）に回転可能な構成となっている。
【００４０】
そして、当該搬送ベルトは、転写紙Ｐの排出が終了する前は、転写紙積載面２３ｃの下方に位置しており、転写紙Ｐの排出が終了すると、上方に移動して転写紙積載面２３ｃから突出して転写紙Ｐと当接し、転写紙Ｐの自重により回転する。そうすると、転写紙Ｐが、排出方向Ａと逆方向Ｃに移動するとともに、排出口２５の下方に設けられた整列基準面２４に当接し、当該整列基準面２４により、転写紙Ｐの上流側端部Ｐｂが整列するとともに、下流側端部Ｐａも整列するようになっている。
【００４１】
以上の様な構成とすることにより、本実施形態においても、上述の第１の実施形態の場合と全く同様の効果を得ることができる。
尚、上記実施形態は、単なる説明例であり、本発明の範囲は、上記実施形態に限定されるものではなく、本発明の趣旨に基づいて各構成物品の形状、寸法、材料等を変更することが可能であり、それらを本発明の範囲から除外するものではない。
【００４２】
例えば、上記実施形態においては、胴内排紙トレイ２３を用いて説明したが、本発明は、装置本体１ａの側面に設けられた排紙トレイにも適用することが可能である。この場合も、上述の実施形態と全く同様の効果を得ることができる。
【００４３】
又、上記実施形態においては、排出ローラ対２０の駆動が停止している場合に  ＣＰＵ３５が、転写紙Ｐの用紙排出部２１への排出が終了したものと判断する構成としたが、例えば、転写紙検知センサを排出口２５付近や胴内排紙トレイ２３に設け、ＣＰＵ３５が、当該転写紙検知センサの検知結果に基づき、転写紙Ｐの用紙排出部２１への排出が終了したか否かを判断する構成としても良い。
【００４４】
又、上記実施形態においては、転写紙Ｐと従動コロ２８〜３１間の摩擦抵抗により、従動コロ２８〜３１を矢印Ｄの方向に従動回転させる構成としたが、当該従動コロ２８〜３１を回転駆動させるための駆動手段を別個に設ける構成としても良い。
【００４５】
更に、上記実施形態においては、画像形成装置として、複写機を用いて説明したが、プリンタ装置、ファクシミリ装置等の他の画像形成装置においても適用可能であることは言うまでもない。
【産業上の利用可能性】
【００４６】
本発明の活用例としては、排出された用紙を積載するための排紙トレイおよびこれを備えた画像形成装置が挙げられる。
【図面の簡単な説明】
【００４７】
【図１】本発明の第１の実施形態に係る画像形成装置の全体構成を示す概略図である。
【図２】本発明の第１の実施形態に係る画像形成装置における用紙排出部の外観構成を示す部分斜視図である。
【図３】本発明の第１の実施形態に係る画像形成装置における用紙排出部の転写紙整列手段を説明するための部分斜視図である。
【図４】本発明の第１の実施形態に係る画像形成装置における転写紙の整列機構を説明するための側面図である。
【図５】本発明の第１の実施形態に係る画像形成装置における転写紙の整列機構を説明するための側面図である。
【図６】本発明の第１の実施形態に係る画像形成装置における転写紙の整列機構を説明するための側面図である。
【図７】本発明の第１の実施形態に係る画像形成装置における従動コロの制御系を示すブロック図である。
【図８】本発明の第１の実施形態に係る画像形成装置における転写紙の整列動作を示すフローチャートである。
【符号の説明】
【００４８】
１      画像形成装置
１ａ    装置本体          
２      給紙部              
３      用紙搬送部                
４      画像形成部                
５      画像読取部                
６      給紙カセット                              
８      手差し給紙ユニット        
９      手差し給紙トレイ          
１２      感光体                
２０      排出ローラ対            
２１      用紙排出部    
２２      胴内空間部
２３      胴内排紙トレイ    
２３ａ      胴内排紙トレイの上流側端部
２３ｂ      胴内排紙トレイの下流側端部      
２３ｃ      転写紙積載面        
２４      転写紙整列基準面        
２５      排出口        
２８〜３１      従動コロ
３５      ＣＰＵ              
３９      従動コロ駆動部    
Ａ      排出方向  
Ｃ      排出方向と逆方向
Ｐ      転写紙          
Ｐａ      転写紙の下流側端部
Ｐｂ      転写紙の上流側端部    
【図１】
2006001730.tif 000003
【図２】
2006001730.tif 000004
【図３】
2006001730.tif 000005
【図４】
2006001730.tif 000006
【図５】
2006001730.tif 000007
【図６】
2006001730.tif 000008
【図７】
2006001730.tif 000009
【図８】
2006001730.tif 000010